(57)【要約】      （修正有）【課題】プランター等で生育される小型の植物類をワンタッチで遮光、及びその中止の操作を行える遮光具を提供する。【解決手段】鉢植え植物等の小型植物３２の遮光を行うための遮光具Ｓであって、複数本の親骨が支柱１に放射状に、しかも支柱１に対して滑動体を介して折畳み可能に連結され、各親骨には、遮光ネットＮ１が取付けられた構成とする。【選択図】図１
0003196466.tif 000002
【実用新案登録請求の範囲】
【請求項１】
鉢植え植物等の小型植物類の遮光を行うための遮光具であって、
複数本の親骨が支柱に放射状に、しかも当該支柱に対して滑動体を介して折畳み可能に連結され、前記各親骨には、遮光ネットが取付けられていることを特徴とする小型植物類の遮光具。
【請求項２】
前記遮光ネットは、各親骨に対して取外し可能であることを特徴とする請求項１に記載の小型植物類の遮光具。
【請求項３】
前記遮光ネットの周縁部における前記各親骨の先端部に対応する部分に一体に取付けられた各連結具に、前記各親骨の先端部がそれぞれ嵌着され、
前記支柱の先端部には、当該支柱の先端の段差部との間で、前記遮光ネットの中心部を挟持する石突筒具が取外し可能に設けられていることを特徴とする請求項２に記載の小型植物類の遮光具。
【考案の詳細な説明】
【技術分野】
【０００１】
本考案は、プランター等で生育される小型の植物類の遮光を行うための折畳み可能な遮光具に関するものである。
【背景技術】
【０００２】
上記用途の遮光具の一つとして、特許文献１に開示のものが知られている。当該遮光具は、植木鉢、プランター等の鉢類内の土壌に差し込まれて、植物の背丈に応じて高さを増すことが可能な複数本の継ぎ足し支柱と、各継ぎ足し支柱の高さ方向の上端と、必要に応じてその途中に一体に固定されるガードリングと、前記各継ぎ足し支柱と各ガードリングで構成される組み立て体の全体を覆うための遮光ネットとから成る。
【０００３】
上記遮光具は、植物の背丈、或いは成長による背丈の増大に応じて、継ぎ足し支柱により、全体の高さを変えられる利点はあるが、その組み立てが面倒であると共に、全体を覆う遮光ネットの一部を組み立て体に結び付ける必要がある等の不具合があった。
【先行技術文献】
【特許文献】
【０００４】
【特許文献１】特開２００２−１１２６４４号公報
【考案の概要】
【考案が解決しようとする課題】
【０００５】
本考案は、プランター等で生育される小型の植物類をワンタッチで遮光、及びその中止の操作を行える遮光具の提供を課題としている。
【課題を解決するための手段】
【０００６】
上記課題を解決するための請求項１の考案は、鉢植え植物等の小型植物類の遮光を行うための遮光具であって、複数本の親骨が支柱に放射状に、しかも当該支柱に対して滑動体を介して折畳み可能に連結され、前記各親骨には、遮光ネットが取付けられていることを特徴としている。
【０００７】
請求項１の考案によれば、小型植物類の遮光を行う場合には、支柱に対して滑動体を上端部（複数本の親骨の連結部）の側に滑動させると、こうもり傘のように、各親骨が放射状に開いて、遮光ネットにより小型植物類が覆われる。また、小型植物類の遮光を中止するには、支柱に対して滑動体を上記と逆方向に滑動させて、複数本の親骨を折り畳めばよい。また、長時間の雨天時においても、遮光ネットからは僅かの雨水が滴下するのみで、大部分の雨水は、遮光ネットの傾斜面に沿って流出落下するため、長時間の雨水を嫌う小型植物類が雨水から保護される。このように、請求項１の考案に係る遮光具によれば、小型植物類の遮光、及びその中心の操作をワンタッチで行える。
【０００８】
請求項２の考案は、請求項１の考案において、前記遮光ネットは、各親骨に対して取外し可能であることを特徴としている。
【０００９】
請求項２の考案によれば、遮光ネットが破損されたり、別の遮光ネットに変更する場合において、遮光ネットの交換・変更が可能となる。
【００１０】
請求項３の考案は、請求項２の考案において、前記遮光ネットの周縁部における前記各親骨の先端部に対応する部分に一体に取付けられた各連結具に、前記各親骨の先端部がそれぞれ嵌着され、前記支柱の先端部には、当該支柱の先端の段差部との間で、前記遮光ネットの中心部を挟持する石突筒具が取外し可能に設けられていることを特徴としている。
【００１１】
請求項３の考案によれば、遮光ネットの周縁部における前記各親骨の先端部に対応する部分に一体に取付けられた各連結具に、各親骨の先端部をそれぞれ嵌着すること、及び支柱の先端部の段差部と、当該支柱の先端部に取外し可能に取付けられる石突筒具との間で遮光ネットの中心部を挟持することで、複数の親骨に対して遮光ネットを取外し可能に取付けられる。
【考案の効果】
【００１２】
本考案によれば、プランター等で生育される小型の植物類をワンタッチで遮光、及びその中止の操作を行える。また、遮光ネットの周縁部における前記各親骨の先端部に対応する部分に一体に取付けられた各連結具に、前記各親骨の先端部がそれぞれ挿入され、前記支柱の先端部には、当該支柱の先端の段差部との間で、前記遮光ネットの中心部を挟持する石突筒具が取外し可能に設けられている構成にすると、複数の親骨に対して遮光ネットが取外し可能に取付けられる。
【図面の簡単な説明】
【００１３】
【図１】本考案に係る遮光具Ｓの使用状態の斜視図である。
【図２】遮光具Ｓの非使用状態の斜視図である。
【図３】遮光具Ｓの分解斜視図である。
【図４】（ａ）は、遮光ネットＮ1(Ｎ2)と親骨３との連結部の部分斜視図であり、（ｂ）は、遮光ネットＮ1(Ｎ2)の中心部の固定構造を示す部分断面図である。
【図５】（ａ），（ｂ）は、それぞれ遮光ネットＮ1(Ｎ2)の構造を示す部分拡大図である。
【考案を実施するための形態】
【００１４】
以下、最良の実施例を挙げて、本考案について更に詳細に説明する。図１〜図５において、小型植物類の遮光具Ｓは、支柱１の上端部に滑動体２を介して複数本の親骨３が折畳み可能に連結された遮光具本体Ｄと、当該遮光具本体Ｄの各親骨３に取外し可能に取付けられた平面形状が正八角形状の遮光ネットＮ1 とから成る。
【００１５】
遮光具本体Ｄは、折畳み可能な傘の骨部と同様の構造であって、支柱１の上端部に複数本の親骨３が折畳み可能に連結され、前記支柱１に滑動可能に外嵌された滑動体２と各親骨３の中間部とは、連結骨４を介して連結されることで、支柱１に対して滑動体２を滑動させることで、複数本の親骨３は、支柱１に対して開いたり、折り畳まれたりする。複数本の親骨３の基端部は、支柱１の上端部に固着された連結支持具５に折畳み可能に連結されている。支柱１の上端及び下端から所定の間隔をおいた部分には、支柱１に対して滑動体２の滑動を不能にして、各親骨３の開いた状態、及び折畳まれた状態を保持する第１及び第２の各ストッパ６，７が、それぞれ支柱１に対して出入り可能に設けられている。
【００１６】
遮光ネットＮ1 は、図５（ａ）に示されるように、互いに直交する２種類の樹脂繊維材２１，２２を交差させて編成され、相隣接する樹脂繊維材２１の間に無数の隙間２３が形成されることで、遮光機能と、僅かの雨水を通過させる機能を有している。遮光ネットＮ1 の全体形状は、親骨３の本数に対応して正八角形状となっていて、当該遮光ネットＮ1 の頂点部、即ち、当該遮光ネットＮ1 の周縁部における各親骨３の先端に対応する部分には、連結具８が連結されている。図３及び図４（ａ）に示されるように、連結具８は、内側のみに開口した孔部８ａを有する円筒状をなしていて、連結紐９を介して遮光ネットＮ1 の頂点部に連結されている。支柱１に対して開かれた各親骨３の上面側に遮光ネットＮ1 を配置した状態で、各親骨３の先端部を前記各連結具８の孔部８ａにそれぞれ挿入すると、各親骨３に対して遮光ネットＮ1 が連結される。
【００１７】
また、図３及び図４（ｂ）に示されるように、遮光ネットＮ1 の中心部は、前記連結支持具５の上面に配置され、支柱１の先端部（上端部）１ａの外側に石突筒具１１を嵌合させると、遮光ネットＮ1 の中心部は、支柱１に対して固定状態となる。
【００１８】
上記構造によって、遮光ネットＮ1 の各頂点部に取付けられた各連結具８の孔部８ａから各親骨３の先端部を引き抜くと共に、支柱１の先端部１ａから石突筒具１１を取り外すと、遮光具本体Ｄから遮光ネットＮ1 が取り外される。このため、遮光ネットＮ1 の損傷により別の遮光ネットＮ1 を取付けたり、或いは種類の異なる別の遮光ネットの取付けが可能となる。
【００１９】
そして、例えば、プランター３１で生育されている小型植物３２を遮光するには、遮光具Ｓの各親骨３を開くことで、遮光ネットＮ1 を拡げた状態で、遮光具本体Ｄの支柱１をプランター３１内の土壌３３に差し込むのみでよい。これにより、小型植物３２が遮光されると共に、雨天時には、遮光ネットＮ1 により、大部分の雨水が遮光ネットＮ1 に沿って流れ落ちるため、大量の雨水がプランター３１内に溜まるのを防止できる。
【００２０】
一方、遮光が不要な場合には、図２に示されるように、遮光具本体Ｄの各親骨３を折り畳むことで、遮光ネットＮ1 を折り畳んだ状態で、遮光具本体Ｄの支柱１をプランター３１内の土壌３３に差し込んで、遮光時の使用に備えておけばよい。
【００２１】
遮光ネットは、遮光と部分遮水との各機能を備えておればよいので、図５（ｂ）に示されるように、別の樹脂繊維材２１’，２２を組み合せて、別の編成によってもよい。
【００２２】
遮光ネットの形状に関しては、遮光具本体の親骨の本数に対応し、開いた状態で、正四角形状、正六角形状、円形状等の任意の形状が考えられる。
【００２３】
また、遮光の対象の小型植物に関しても、プランター等の鉢類で生育されるものに限定されず、鉢類によらずに、家屋の軒先の土壌で直接に生育される植物であってもよい。
【符号の説明】
【００２４】
Ｄ：遮光具本体
Ｎ1 ，Ｎ2 ：遮光ネット
Ｓ：遮光具
１：支柱
１ａ：支柱の先端部
２：滑動体
３：親骨
８：連結具
１１：石突筒具
３２：小型植物
【図１】
0003196466.tif 000003
【図２】
0003196466.tif 000004
【図３】
0003196466.tif 000005
【図４】
0003196466.tif 000006
【図５】
0003196466.tif 000007